(57)【要約】    【課題】  効率的に動圧を静圧に変換することが可能な送風機及び当該送風機を用いたエアー式掃除機を提供すること。    【解決手段】    請求項１記載に係る送風機は、複数の吐出口より排気筒内に吐出される高圧空気が互いに衝突せず、且つ、渦巻き流を形成するように形成した。請求項２記載のエアー式掃除機は、エアー式掃除機において送風機として請求項１記載の送風機を用いた。請求項３記載のエアー式掃除機は、吸入口より吸入される塵埃を含んだ空気を、ケーシングに対して偏心位置に設けられた円筒形のエアーガイドに当接させることで渦巻き流となすようにした。    【選択図】  図１
2005334115.tif 000002
【特許請求の範囲】
【請求項１】
複数の吐出孔より排気筒内に吐出される高圧空気が互いに衝突せず、且つ、渦巻き流を形成するようにしたことを特徴とする送風機。
【請求項２】
送風機内に吐出される高圧空気の空気圧力で吸入口よりケーシング内に塵埃を含んだ空気を吸入しフィルタで塵埃を除去するエアー式掃除機において、前記送風機が請求項１記載の送風機であることを特徴とするエアー式掃除機。
【請求項３】
吸入口より吸入される塵埃を含んだ空気を風向板及びケーシングに対して偏心位置に設けられた円筒形のエアーガイドに当接させることで渦巻き流となすことを特徴とする請求項２記載のエアー式掃除機。
【発明の詳細な説明】
【技術分野】
【０００１】
空気を吐出する際にダクトや装置に抵抗が発生する。この抵抗（圧力損失）に抗して風を送る力を静圧という。本発明はこの静圧を高めることが可能な送風機及び当該送風機を用いたエアー式掃除機に関する。
【背景技術】
【０００２】
一般に掃除機に装備される送風機はファンから吐出された空気流をディフューザで損失を防ぎながら減速を行い動圧を静圧に変換している。
【０００３】
この動圧を効率よく静圧に変換するための発明の一つとして特開２００２−１３８９９６号公報記載の発明がある。
【０００４】
ここに特開２００２−１３８９９６号公報記載の発明はディフューザベーン間に形成される空気流路に中間ファンを設けることで主ファンから吐出される空気流の流れをスムースにし、もって動圧の静圧への効率的な変換を図るものである。
【０００５】
また、エアー式掃除機とは電気モーターを使用せず、高圧空気の空気圧力で吸引する掃除機をいう。係るエアー式掃除機の従来例を示したものが図４である。  外部のエアコンプレッサー等から矢印Ａに示すように高圧空気導入孔６を通り送風機１内に導入された高圧空気は、ノズル３に設けた吐出孔３ａより排気筒４内にニードル８に沿って吐出される。そしてこの高圧空気は排出口５より外部に排出されていく。この高圧空気の排出に伴い矢印に示されるように吸入口７ａより塵埃を含んだ空気が吸入され、フィルタ７ｂにより塵埃を除去した後、当該空気も排気筒４内を通り排出口５より排出されていく。この際フィルタ７ｂで除去された塵埃は落下しタンク７ｃ内に堆積されていくものである。
【特許文献１】特開２００２−１３８９９６号公報
【発明の開示】
【発明が解決しようとする課題】
【０００６】
本発明は電気モーターを用いずにエアコンプレッサーから送り込まれる高圧空気を吐出することで静圧を得る送風機において、効率的に動圧を静圧に変換することを可能とすること及び当該送風機を用いたエアー式掃除機を提供することを目的とする。
【課題を解決するための手段】
【０００７】
上記課題を解決するために請求項１記載に係る送風機は、複数の吐出口より排気筒内に吐出される高圧空気が互いに衝突せず、且つ、渦巻き流を形成するように形成した。
【０００８】
また、請求項２記載のエアー式掃除機は、送風機内に吐出される高圧空気の空気圧力で吸入口よりケーシング内に塵埃を含んだ空気を吸入しフィルタで塵埃を除去するエアー式掃除機において、前記送風機として請求項１記載の送風機を用いた。
【０００９】
更に請求項３記載のエアー式掃除機は、吸入口より吸入される塵埃を含んだ空気を、ケーシングに対して偏心位置に設けられた円筒形のエアーガイドに当接させることで渦巻き流となすようにした。
【発明の効果】
【００１０】
以下、上述のように構成される本発明が如何にして課題を解決する効果を有するかを図面を参照しながら述べる。
【００１１】
図１は本発明に係る送風機の従断面図であり、図２は請求項３記載のエアー式掃除機の一部従断面図であり、図３は同じくＡ−Ａ端面図である。
【００１２】
図１に示すように外部のエアーコンプレッサー等から矢印Ｂに示すように高圧空気導入孔１１ａより送風機１０内に導入された高圧空気は、ノズル１２に複数設けられた吐出口１２ａより排気筒１３内に吐出される。
【００１３】
この際吐出される高圧空気は互いに衝突せず、且つ、渦巻き流を形成するよう設けられている。かように排気筒１３内に吐出される高圧空気が渦巻き流を形成するが故に減速が行われ、従って動圧の静圧への変換が効率的に行われることになるのである。
【００１４】
請求項２記載の発明では以上のように効率的に動圧を静圧に変換することが可能な送風機を用いることで吸引能力の高いエアー式掃除機を提供することが可能となるのである。
【００１５】
請求項３記載のエアー式掃除機では図２及び図３に示すように、吸入口２０より吸入される含塵空気を、風向板２５、次いでケーシング２１に対して偏心位置に設けられているエアーガイド２２に当接させることで渦巻き流となさしめている（図中矢印は空気の流れを示している）。
【００１６】
かように含塵空気が渦巻き流を形成することで含塵空気に含まれる比較的粗めの塵埃をケーシング２１及びタンク２３の内壁に遠心力で集めることが可能となるのである。更に含塵空気はフィルタ２４を通過することで細かい塵埃を除去され、清浄な空気となり排出口１４より排出されていくのである。
【００１７】
かようにして塵埃除去能力の高いエアー式掃除機の提供が可能となるのである。
【発明を実施するための最良の形態】
【００１８】
以下、好ましい発明の実施形態につき図面を参照しながら述べる。
【００１９】
図１に示すように本発明に係る送風機１０は本体１１、ノズル１２、排気筒１３及び吸気筒１５を主な構成要素とする。
【００２０】
本体１１は筒状体であり、内部に排気筒１３、ノズル１２及び吸気筒１５が嵌合されている。本体１１には外周面から内周面に貫通する高圧空気導入孔１１ａが設けられている。
【００２１】
排気筒１３は内部が空洞の筒状体であり、その中途より排出口に向けてテーパー状に拡大したものである。
【００２２】
ノズル１２は筒状体であり、外周には凹溝１２ｂが設けてある。この凹溝１２ｂから排気筒１３内に通じる吐出孔１２ａが複数設けられている。この複数の吐出孔１２ａはそこから吐出される高圧空気が互いに衝突せず、且つ、排気筒１３内壁に当接した段階で渦巻き流を形成する角度に設けられている。
【００２３】
本体１１とノズル１２の間にはＯリング１６がパッキンとして介在させてある。
【００２４】
請求項２記載のエアー式掃除機は図４に示すような通常のエアー式掃除機における送風機１に代え請求項１記載に係る送風機１０を用いたものである。
【００２５】
請求項３記載に係るエアー式掃除機は図２に示すように、吸入口２０より吸入される含塵空気を吸入口２０近辺に設けられた風向板２５、次いで円筒形のエアーガイド２２に当接させることで渦巻き流となさしめている（図中矢印は空気の流れを示している）。円筒形のエアーガイド２２は同じく円筒容器状のケーシング２１に対して、図３に示すように偏心位置に設けられている。これに対しフィルタ２４はケーシング２１に対し同心位置を中心として放射状に設けてある。吸入空気のフィルタ２４より下流側には、請求項１記載の送風機１０が設けてある。送風機１０には図示していないが外部のエアコンプレッサー等から高圧空気が送り込まれるものである。この高圧空気及び浄化された吸入空気は送風機１０の排気筒１３より排出されていくものである。
【図面の簡単な説明】
【００２６】
【図１】請求項１記載に係る送風機の一部従断面図。
【図２】請求項３記載のエアー式掃除機の一部従断面図。
【図３】同じくＡ−Ａ端面図。
【図４】エアー式掃除機の従来例を示す一部従断面図。
【符号の説明】
【００２７】
１０・・送風機    吐出孔１２ａ
１３・・排気筒      ２０・・吸入孔
２１・・ケーシング      ２２・・エアガイド
２４・・フィルタ      ２５・・風向板        
【図１】
2005334115.tif 000003
【図２】
2005334115.tif 000004
【図３】
2005334115.tif 000005
【図４】
2005334115.tif 000006
【手続補正書】
【提出日】平成16年5月25日(2004.5.25)
【手続補正１】
【補正対象書類名】明細書
【補正対象項目名】０００９
【補正方法】変更
【補正の内容】
【０００９】
更に請求項３記載のエアー式掃除機は、吸入口より吸入される塵埃を含んだ空気を、風向板及びケーシングに対して偏心位置に設けられた円筒形のエアーガイドに当接させることで渦巻き流となすようにした。
【手続補正２】
【補正対象書類名】明細書
【補正対象項目名】００１１
【補正方法】変更
【補正の内容】
【００１１】
図１は本発明に係る送風機の縦断面図であり、図２は請求項３記載のエアー式掃除機の一部縦断面図であり、図３は同じくＡ−Ａ端面図である。
【手続補正３】
【補正対象書類名】明細書
【補正対象項目名】００２６
【補正方法】変更
【補正の内容】
【００２６】
【図１】請求項１記載に係る送風機の一部縦断面図。
【図２】請求項３記載のエアー式掃除機の一部縦断面図。
【図３】同じくＡ−Ａ端面図。
【図４】エアー式掃除機の従来例を示す一部縦断面図。